(57)【要約】【課題】スマートですっきりしていて、外観が良好であると共に、視認性が良好で、きわめて効果的に対象物を照明することができケース内の温度の上昇もほとんどない照明組込み型ショーケースを提供する。【解決手段】天壁と囲壁を有する透明なケース本体の天壁及び／又は囲壁に、カード型ＬＥＤ灯体を組み込んだ偏平状照明具を、天壁及び／又は囲壁の外面とほぼ面一となるように埋め込んだ。【選択図】図４
0003121700.tif 000002
【実用新案登録請求の範囲】
【請求項１】
天壁と囲壁を有する透明なケース本体の天壁及び／又は囲壁に、カード型ＬＥＤ灯体を組み込んだ偏平状照明具を、天壁及び／又は囲壁の外面とほぼ面一となるように埋め込んだことを特徴とする照明組込み型ショーケース。
【請求項２】
天壁と囲壁を有する透明なケース本体の天壁及び／又は囲壁に、カード型ＬＥＤ灯体を組み込んでなる偏平状照明具を、天壁及び／又は囲壁の外面とほぼ面一となるように埋め込み、かつ、前記カード型ＬＥＤ灯体に接続され偏平状照明具から導出された電源用配線を、ケース本体の壁縁に形成した溝を通して架台側に導いたことを特徴とする照明組込み型ショーケース。
【請求項３】
偏平状照明具が、凹状をなし底部所望位置に投光用窓孔を有する偏平状ケーシングと、良熱伝導性材質からなり前記偏平状ケーシングに嵌合い可能な帯板状の支持体と、配線パターンを一体成形し端部に端子部を有する基板にＬＥＤを多数個配列した発光部を一体化したカード型ＬＥＤモジュールとを備え、支持体が、前記投光用窓孔に対応する下面部位に、前記端子部に対するコネクターを有しそれより前方にカード型ＬＥＤモジュールの側部を係止する平行レール枠を備えたボルダー部体を固定しており、偏平状ケーシングの側面が、ケース本体の天壁及び／又は囲壁に形成した分割溝壁に接合されている請求項１または２に記載の照明組込み型ショーケース。
【考案の詳細な説明】
【技術分野】
【０００１】
本考案はショーケースとりわけ照明組込み型ショーケースに関する。
【背景技術】
【０００２】
宝飾品、貴金属製品、美術工芸品などを展示し、閲覧に供する手段として底を天にした筒状のショーケースが汎用されている。
こうしたシューケースにおいては、内部に陳列した対象物(商品)を効果的に視認させるために、対象物ないしその周辺を照らす照明手段を用いている。
かかる照明手段としては、ショーケースから離間した上方位置にダウンライトを配置することが多いが、ショーケースの天部に光が反射されてライトが写ったり、観察者が覗くことによって光線が遮られたりする問題があった。
【０００３】
そこで、従来では、ショーケースの天部からハロゲンランプでダウンライトを行うようにしているが、ハロゲンランプとソケットを含む支持部材を内蔵した箱状の照明器を天蓋の形式で取り付けている。
この構造では、ショーケース天部に照明器としての大きな天蓋が乗っている形態となるので、全体としてごつくなると共にデザイン的な制限が生じ、また、天部上方から対象物を視認できなくなる問題があった。また、ハロゲンランプに給電のためショーケース下部のケース台から電線を導くのに、電線を隠すパイプ状フレームが必要になり、それによりショーケースの外観を損なったり、対象物の視認性を損なったりする問題もあった。
別のタイプとして、ショーケース内の天部直下にポールで支持された蛍光灯を配する構造もあるが、灯具がむき出しである上ポールがあるためスマートさに欠け体裁が芳しくない点、ショーケースにライトが写り込むこととあいまって視認性がよくない点、放熱によりショーケース内の温度が高くなる点などに問題があった。
【考案の開示】
【考案が解決しようとする課題】
【０００４】
本考案は前記のような問題点を解消するためになされたもので、その目的とするところは、スマートですっきりしていて、外観が良好であると共に、視認性が良好で、きわめて効果的に対象物を照明することができケース内の温度の上昇もほとんどない照明組込み型ショーケースを提供することにある。
また、本考案の第２の目的は、前記目的に加え、電源用の配線のための特別なフレームがなく、対象物の視認性と外観を向上できる照明組込み型ショーケースを提供することにある。
【課題を解決するための手段】
【０００５】
上記目的を達成するため本考案は、天壁と囲壁を有する透明なケース本体の天壁及び/又は囲壁に、カード型ＬＥＤ灯体を組み込んだ偏平状照明具を、天壁及び/又は囲壁の外面とほぼ面一に埋め込んだことを特徴としている。(請求項１)
【０００６】
また、第２の目的を達成するため本考案は、天壁と囲壁を有する透明なケース本体の天壁及び/又は囲壁に、カード型ＬＥＤ灯体を組み込んでなる偏平状照明具を、天壁及び/又は囲壁の外面とほぼ面一となるように埋め込み、かつ、前記カード型ＬＥＤ灯体に接続され偏平状照明具から導出された電源用配線を、ケース本体の壁縁に形成した溝を通して架台側に導いたことを特徴としている。(請求項２)
【考案の効果】
【０００７】
本考案の請求項１によるときには、照明具が偏平でありそれが天壁及び／又は囲壁に平面的に埋め込まれ、ショーケースの壁そのものが照明具本体と一体化し、外部に別の照明器体などの突起物が何も存在しないフラット状なので、非常にスマートですっきりとしたショーケースとすることができる。
また、照明具の外面が天壁及び/又は囲壁の外面とほぼ面一に組み込まれており、灯具を支えるポールなどの異物もないので、視認有効面積が広くなる。カード型ＬＥＤ灯体は多数のＬＥＤが配列されたものであるので輝度が高く、対象物を十分に明るく照らすことができ、天壁に組み込んだときにはダウンライトとして、囲壁に組み込んだときには側方からのスポットライトとして、天壁と囲壁の双方に組み込んだ場合には、対象物を上方と側方から照明し、演出効果を一段と高めることができる。
また、光源がＬＥＤであるため放熱が少なく、ケース内の温度上昇を抑止できるなどというすぐれた効果が得られる。
【０００８】
本考案の請求項２によれば、前記請求項１の効果に加えて、カード型ＬＥＤ灯体に対する配線がケース本体の壁縁に形成した溝を通して下方に導かれているので、パイプなどの特別な部材を要さず、また外観上目視されない。したがって視認性がよく、美観がよくすっきりとしたショーケース形態にすることができる。
【考案を実施するための最良の形態】
【０００９】
好適には、偏平状照明具が、凹状をなし底部所望位置に投光用窓孔を有する偏平状ケーシングと、良熱伝導性材質からなり前記偏平状ケーシングに嵌合い可能な帯板状の支持体と、配線パターンを一体成形し端部に端子部を有する基板にＬＥＤを多数個配列した発光部を一体化したカード型ＬＥＤモジュールとを備え、支持体が、前記投光用窓孔に対応する下面部位に、前記端子部に対するコネクターを有しそれより前方にカード型ＬＥＤモジュールの側部を係止する平行レール枠を備えたボルダー部体を固定しており、偏平状ケーシングの側面がケース本体の天壁及び/又は囲壁に形成した分割溝壁に接合されている。
これによれば、部材数が少なく構造が簡単で、厚さを薄くすることができ、天壁及び/又は囲壁の厚さ方向に簡単に組み込み一体化することができる。
また、カード型ＬＥＤモジュールを簡単に電気的に接続できるとともに交換も容易であり、カード型ＬＥＤモジュールは背面からの放熱が良熱伝導性材質からなる帯板状の支持体により拡散されるので、故障も生じにくい。
【実施例１】
【００１０】
以下添付図面を参照して本考案の実施例を説明する。
図１ないし図は本考案による照明組込み型ショーケースの第１実施例を示している。
図１において、１は基床に設置されたボックス状架台、２は本考案による直方体形状をなしたショーケースの全体を指しており、ガラスやプラスチックなどの透明材で構成された天壁３Ａと４面の囲壁(側壁)３Ｂ１〜３Ｂ４を有するケース本体３と、該ケース本体３の天壁を横断するように壁内に組みつけられた偏平状照明具４とを備え、前記ケース本体３は、囲壁の下端が前記ボックス状架台１の天部に嵌まるように組付けられている。
【００１１】
前記偏平状照明具４は、図４と図５のように、天壁の厚さＴとほぼ同じ厚さたとえば８ｍｍといった偏平なフラットバー状に構成され、天壁３Ａのほぼ中央に沿って形成したたとえば幅Ｗが５０ｍｍの分割溝３０に嵌められ、幅方向両側面が溝端面に接着剤３１などで接合されている。
偏平状照明具４には、発光部を板厚方向（下面側）に向けた少なくとも１個のカード型ＬＥＤ灯体（カード型ＬＥＤモジュール）５が露出されている。この例では２個のカード型ＬＥＤ灯体５,５が所定間隔をおいて配されている。
【００１２】
図４ないし図６は前記偏平状照明具４を詳細に示しており、アルミニウムやプラスチックなどの軽量材により、底壁部６０とこれの周囲を囲む側壁部６１と端壁部６２を有するように成形された、たとえば高さが８ｍｍ程度幅５０ｍｍ程度、長さ約４４５ｍｍの偏平状ケーシング６と、アルミニウムで代表される良熱伝導性材からなっていて前記偏平状ケーシング６の開口側から嵌合される帯板状支持体７と、前記帯板状支持体７に保持されたカード型ＬＥＤ灯体（カード型ＬＥＤモジュール）５からなっている。前記側壁部６０,６０はケース本体３の分割溝端面に接着される。
【００１３】
前記偏平状ケーシング６の底壁部６０には、所望の位置に少なくとも１つの投光用窓孔６０１が設けられている。この例では、ケーシング長手方向中央付近に２つの投光用窓孔が配されている。なお、図６では片側のみ示している。また、カード型ＬＥＤ灯体５への電源用配線８を外部に導くために底壁部６０の長手方向端域に通孔６０２が設けられている。
前記帯板状支持体７は前記投光用窓孔６０１に対応する位置の下面に、ボルダー部体９を固定している。このボルダー部体９は電源用配線８が接続されたコネクター９０を有しそれより前方にカード型ＬＥＤモジュールの側部を係止する平行レール枠９１を備えており、また、帯板状支持体８の長手方向端部下面には、前記電源用配線５を前記通孔６０２に導くためのガイド板７０が固定されている。ガイド板７０は帯板状支持体８の偏平状ケーシング６への嵌合時に補強材としても機能する。
【００１４】
前記カード型ＬＥＤ灯体５は、それ自体は公知であり、図７のように、配線パターンを一体成形した放熱基板５０上に、多数たとえば６４個のＬＥＤと蛍光体を点状に配した発光部５１を層状に設けたもので、放熱基板の一側にはパターン状の端子部５２を設けており、発光部の表面にはレンズが、放熱基板５０の背面にはアルミニウムなど熱伝導性のよい金属からなる放熱部５０１を層状に設けている。
【００１５】
前記カード型ＬＥＤ灯体５はヨーク状の平行レール枠９１の開放側から押し込まれることにより端子部５２がコネクター９０に接続され、同時に背面の放熱部５０１が帯板状支持体７の下面に密接するように両サイドが係止される。これによりカード型ＬＥＤ灯体５からの放熱は帯板状支持体７に伝達され、帯板状支持体７の体積が大きいため、効率よく拡散させることができる。また、帯板状支持体７はカバーとしても機能する。
【００１６】
前記偏平状照明具４から導出された電源用配線８は、従来のように通線用のフレームやパイプなどをもちいることなく、図３、図８及び図９のように、ケース本体の壁縁に形成した溝を通してボックス状架台に導かれ、ボックス状架台内のトランスを介し電源コンセントに接続される。
詳しくは、前記ケース本体３の４枚からなる囲壁３Ｂ１〜３Ｂ４のうち照明具長手方向端が臨む位置にある囲壁３Ｂ２には、図９（ａ）のように上端縁に沿ってＬ状の段部３２が欠設されており、これと天壁３Ａの下面縁部とが接合されることにより横溝３１が形成される。また、前記囲壁３Ｂ２とこれに隣接する囲壁３Ｂ１のいずれかの側端縁にはＬ状の段部３４が下端に到るまで欠設されており、これと隣接する囲壁端縁とが接合されることにより縦溝３３が形成される。
【００１７】
前記偏平状ケーシング６の底壁部に設けられている通孔６０２から導出された電源用配線８は外周に絶縁テープ類８０が巻かれて結束され、その絶縁被覆つき部分は図８のように直角状に曲げられ、図９の水平方向に走る横溝３１にそって導かれ、この横溝３１の先端と通じている縦溝３３によって高さ方向に導かれる。そしてこの状態を保持するため、前記横溝３１と縦溝３３にはコーキング３５が充填され、これにより絶縁被覆つき部分は隠蔽される。
なお、図面では片方のカード型ＬＥＤ灯体５の配線のみを示しているが、図１のように対称的に配線が行われる。
【００１８】
第１実施例においては、図１のような状態で使用され、内部に所望の対象物が配されるが、偏平状照明具４は天壁３Ａの中央を横切るフラットバーの形態をなし、しかも上面が天壁３Ａの表面と略面一となるように埋設されている。このため、外部に突起物などの異物が存しないすっきりとしたスマートな外観となる。また、電源用配線８も全く露出しておらず、通線用の部材も全く存在しないので、ケース内部もすっきりしている。カード型ＬＥＤ灯体５は発光部５１が偏平状照明具４の下面向いており、上方からは見えないので、その点でも体裁がよい。
【００１９】
通電すれば、カード型ＬＥＤ灯体５の多数個のＬＥＤが発光するため輝度が高く、囲壁や天壁に反射することなく対象物を効果的にスポット照明することができ、カード型ＬＥＤ灯体５の背方には帯板状支持体７があるため背方には照明がなされず、したがって、天壁３Ａの上方からも十分に対象物を視認することができる。
カード型ＬＥＤ灯体５から放散される熱は、体積の大きい帯板状支持体７にて拡散されるのでケース本体内は加熱されることがなく、対象物の品質、品位に影響を及ぼさない。
【実施例２】
【００２０】
図１０と図１１は本考案にかかる照明組込み型ショーケースの第２実施例を示している。この実施例においては、偏平状照明具４はケース本体３の１８０度対称位置にある囲壁３Ｂ２，３Ｂ４の中央部に設けられた分割溝３０，３０に外面が囲壁の外面とほぼ面一となるように嵌着固定されている。
そして、カード型ＬＥＤ灯体５の電源用配線８は、偏平状ケーシング６の底壁部６０に設けられている通孔６０２から導出され、絶縁被覆つき部分が囲壁の下端からボックス状架台１に導かれる。カード型ＬＥＤ灯体５が複数個である場合、それらすべてを下方に平行に導き、囲壁の下端からボックス状架台に導いてもよいし、高さ方向で上位にあるカード型ＬＥＤ灯体５の電源用配線８は、前記第１実施例と同じように、天壁と囲壁の境界の横溝３１と隣接する２囲壁の境界の縦溝３３を経て下方に導いてもよい。
他の構成は第１実施例と同様であるから、説明は援用する。
【００２１】
この実施例においても外観がスマートですっきりしており、視認性がよく、照明時には、１８０度対称位置の囲壁の一部からあたかも直接スポット照明がなされる感じになるので、演出効果もよいものとなる。
【実施例３】
【００２２】
図１２ないし図１３は本考案にかかる照明組込み型ショーケースの第３実施例を示している。この実施例においては、偏平状照明具４は、ケース本体３の天壁３Ａの中央部に設けられた分割溝３０に外面が天壁の外面とほぼ面一となるように嵌められ、かつ、ケース本体の１８０度対称位置にある囲壁３Ｂ２，３Ｂ４の中央部に設けられた分割溝３０に外面が囲壁の外面とほぼ面一となるように嵌着固定されている。
【００２３】
天壁３Ａの偏平状照明具４におけるカード型ＬＥＤ灯体５の電源用配線８は、第１実施例と同じように天壁と囲壁の境界の横溝３１と隣接する２囲壁の境界の縦溝３３を経て下方に導かれる。
囲壁３Ｂ２，３Ｂ４のカード型ＬＥＤ灯体５の電源用配線８は、偏平状ケーシング６の底壁部に設けられている通孔６０２から導出され、絶縁被覆つき部分が囲壁の下端からボックス状架台１に導かれる。カード型ＬＥＤ灯体５が複数個である場合、それらすべてを下方に平行に導き、囲壁の下端からボックス状架台１に導いてもよいし、高さ方向で上位にあるカード型ＬＥＤ灯体５の電源用配線８は、前記第１実施例と同じように、天壁と囲壁の境界の横溝３１と隣接する２枚の囲壁の境界にある縦溝３３を経て下方に導いてもよい。
他の構成は第１実施例と同様であるから、説明は援用する。
【００２４】
この実施例においても外観がスマートですっきりしており、視認性がよく、照明時には、天壁からダウンライト照明がなされると同時に、１８０度対称位置の囲壁の一部からあたかも直接スポット照明がなされる感じになるので、演出効果もよいものとなる。
【００２５】
図示するものは本考案の数例であり、これに限定されるものではない。
１）偏平状照明具４の平面形状は、直線状である場合に限られず、曲率を有していたり、屈曲状などであってもよく、あるいはリング状をなしていてもよい、
２)ケース本体３の形状も直方形に限らず、円筒形状などであってもよい。
３）偏平状照明具４のケース本体天壁や側壁に対する固定法は限定がなく、偏平状照明具４の側面を溝壁面に接合する場合のほか、囲壁分割壁そのものに段部を形成し、これに照明具本体４の幅方向側縁部を受支させて接合してもよい。
【図面の簡単な説明】
【００２６】
【図１】本考案による照明組込み型ショーケースの第１実施例を示す斜視図である。
【図２】第１実施例の平面図である。
【図３】図２のＸ−Ｘ線に沿う断面図である。
【図４】図３の一部拡大図である。
【図５】図４のＹ−Ｙ線に沿う断面図である。
【図６】偏平状照明具の分解斜視図である。
【図７】カード型ＬＥＤ灯体の斜視図である。
【図８】偏平状照明具の配線状態を示す斜視図である。
【図９】（ａ）は図８のａ部の拡大断面図、(ｂ)は図８のｂ部の拡大断面図である。
【図１０】本考案の第２実施例を示す斜視図である。
【図１１】第２実施例の横断面図である。
【図１２】本考案の第３実施例を示す斜視図である。
【図１３】図１２のＺ−Ｚ線に沿う断面図である。
【図１４】第３実施例の側面図である。
【符号の説明】
【００２７】
１  ボックス状架台
２  本考案ショーケース
３  ケース本体
４  偏平状照明具
５  カード型ＬＥＤ灯体
６  偏平状ケーシング
７  帯板状支持体
８  電源用配線
９  ホルダー部体
３０  分割溝
３１,３３  溝
【図１】
0003121700.tif 000003
【図２】
0003121700.tif 000004
【図３】
0003121700.tif 000005
【図４】
0003121700.tif 000006
【図５】
0003121700.tif 000007
【図６】
0003121700.tif 000008
【図７】
0003121700.tif 000009
【図８】
0003121700.tif 000010
【図９】
0003121700.tif 000011
【図１０】
0003121700.tif 000012
【図１１】
0003121700.tif 000013
【図１２】
0003121700.tif 000014
【図１３】
0003121700.tif 000015
【図１４】
0003121700.tif 000016